(57)【要約】      （修正有）【課題】火力発電用ボイラー等から所定の給水ポンプをアイソレート（分離）する時、作業経験の差によって誤操作が生じる恐れのない方法を提供する。【解決手段】高圧給水加熱器の給水ポンプの電源を切る手段と、それに伴って給水ポンプ停止制御マスタが自動に切り替わる手段と、前記マスタの停止の許可ランプを確認して停止指示を出す手段と、停止指示に伴って前記マスタのタイムチャートに従って給水ポンプに接続する、過熱防止弁１０、ウォーミング弁２６、ロータバランス弁１９が停止すると共に、これら各弁の停止完了に伴って入口弁５が全閉し、入口弁の全閉後に給水ポンプのケーシングドレン弁１７が全開する手段とからなる高圧給水加熱器の給水ポンプアイソレート方法。【選択図】図１
2007240022.tif 000002
【特許請求の範囲】
【請求項１】
高圧給水加熱器の給水ポンプの電源を切る手段と、それに伴って給水ポンプ停止制御マスタが自動に切り替わる手段と、前記マスタの停止の許可ランプを確認して停止指示を出す手段と、停止指示に伴って前記マスタのタイムチャートに従って給水ポンプに接続する、過熱防止弁、ウォーミング弁、ロータバランス弁が停止すると共に、これら各弁の停止完了に伴って入口弁が全閉し、入口弁の全閉後に給水ポンプのケーシングドレン弁が全開する手段とからなる高圧給水加熱器の給水ポンプアイソレート方法。
【請求項２】
請求項１に記載の高圧給水加熱器の給水ポンプアイソレート方法において、前記給水ポンプのケーシングドレン弁を全開する手段の後に、給水ポンプの出口側の流量調節弁を手動にて微開にすると共に、流量調節弁の前後に設けた出口管ドレン弁と出口管ベント弁を開にする手段を有する高圧給水加熱器の給水ポンプアイソレート方法。
【請求項３】
請求項２に記載の高圧給水加熱器の給水ポンプアイソレート方法において、引き続きジャケット冷却水供給入口弁を開にする手段を有する高圧給水加熱器の給水ポンプアイソレート方法。
【請求項４】
請求項３に記載の高圧給水加熱器の給水ポンプアイソレート方法において、引き続き給水ポンプ停止制御マスタを除外にし、ポンプ軸受の補助オイルポンプ、過熱防止弁、ロータバランス弁、入口弁、ウォーミング弁、出口弁、出口バイパス弁等の各電動弁をロック状態にして電源を切る手段を有する高圧給水加熱器の給水ポンプアイソレート方法。
【請求項５】
請求項１乃至４のいずれかに記載の高圧給水加熱器の給水ポンプアイソレート方法において、給水ポンプのケーシングドレン弁を全開する手段の後に、給水ポンプの復帰運転の前に、ジャケット冷却水供給入口弁を開にする手段と、入口弁を手動で微開にしてウォーミングを行う手段と、ケーシングドレン弁を閉鎖してポンプ内に水を張り、空気抜き完了後に出口ドレン弁及び出口管ベント弁を閉止する手段と、各電動弁電源を入りにしてロック解除すると共に給水ポンプアイソレートマスタの復帰の許可ランプを確認して復帰させる手段と、前記マスタを除外後にポンプ電源をＯＮする手段とからなる高圧給水加熱器の給水ポンプアイソレート方法。
【請求項６】
請求項５に記載の高圧給水加熱器の給水ポンプアイソレート方法において、運転再開に際して入口弁、出口弁を全開し、流量調節弁を自動にし、試運転をする手段を有する高圧給水加熱器の給水ポンプアイソレート方法。
【発明の詳細な説明】
【技術分野】
【０００１】
本発明は火力発電のタービン駆動用のボイラー等に高圧加熱給水を行うための給水ポンプのアイソレート方法に関する。
【背景技術】
【０００２】
従来、火力発電のタービン駆動用のボイラー等に高圧加熱給水を行う複数系統の給水ポンプから所定の給水ポンプを、定期的な保守、点検、又は修理等のために停止するには、他系統の給水ポンプから当該ポンプにつながっている配管系統をプロセスフロー的にアイソレート（分離）して、給水を継続しながらポンプ内の水をブローする操作を必要としていた。
【発明の開示】
【発明が解決しようとする課題】
【０００３】
そのアイソレート方法は、経験を頼りに個々の操作を実施するもので、経験のレベル差によって誤操作が生じる恐れがあり、アイソレートの誤操作は作業の危険を伴い、また、復旧忘れにより設備の損傷を生じる課題があった。
【課題を解決するための手段】
【０００４】
そこで、本発明は、高圧給水加熱器の給水ポンプの電源を切る手段と、それに伴って給水ポンプ停止制御マスタが自動に切り替わる手段と、前記マスタの停止の許可ランプを確認して停止指示を出す手段と、停止指示に伴って前記マスタのタイムチャートに従って給水ポンプに接続する、過熱防止弁、ウォーミング弁、ロータバランス弁が停止すると共に、これら各弁の停止完了に伴って入口弁が全閉し、入口弁の全閉後に給水ポンプのケーシングドレン弁が全開する手段とからなる高圧給水加熱器の給水ポンプアイソレート方法を提供するものである。
【０００５】
また、本発明は、請求項２に記載のように、請求項１に記載の高圧給水加熱器の給水ポンプアイソレート方法において、前記給水ポンプのケーシングドレン弁を全開する手段の後に、給水ポンプの出口側の流量調節弁を手動にて微開にすると共に、流量調節弁の前後に設けた出口管ドレン弁と出口管ベント弁を開にする手段を有する高圧給水加熱器の給水ポンプアイソレート方法を提供するものである。
【０００６】
また、本発明は、請求項３に記載のように、請求項２に記載の高圧給水加熱器の給水ポンプアイソレート方法において、引き続きジャケット冷却水供給入口弁を閉にする手段を有する高圧給水加熱器の給水ポンプアイソレート方法を提供するものである。
【０００７】
また、本発明は、請求項４に記載のように、請求項３に記載の高圧給水加熱器の給水ポンプアイソレート方法において、引き続き給水ポンプ停止制御マスタを除外にし、ポンプ軸受の補助オイルポンプ、過熱防止弁、ロータバランス弁、入口弁、ウォーミング弁、出口弁、出口バイパス弁等の各電動弁をロック状態にして電源を切る手段を有する高圧給水加熱器の給水ポンプアイソレート方法を提供するものである。
【０００８】
また、本発明は、請求項５に記載のように、請求項１乃至４のいずれかに記載の高圧給水加熱器の給水ポンプアイソレート方法において、給水ポンプのケーシングドレン弁を全開する手段の後に、給水ポンプの復帰運転の前に、ジャケット冷却水供給入口弁を開にする手段と、入口弁を手動で微開にしてウォーミングを行う手段と、ケーシングドレン弁を閉鎖してポンプ内に水を張り、空気抜き完了後に出口ドレン弁及び出口管ベント弁を閉止する手段と、各電動弁電源を入りにしてロック解除すると共に給水ポンプアイソレートマスタの復帰の許可ランプを確認して復帰させる手段と、前記マスタを除外後にポンプ電源をＯＮする手段とからなる高圧給水加熱器の給水ポンプアイソレート方法を提供するものである。
【０００９】
また、本発明は、請求項６に記載のように、請求項５に記載の高圧給水加熱器の給水ポンプアイソレート方法において、運転再開に際して入口弁、出口弁を全開し、流量調節弁を自動にし、試運転をする手段を有する高圧給水加熱器の給水ポンプアイソレート方法を提供するものである。
【発明の効果】
【００１０】
本発明に係る高圧給水加熱器の給水ポンプアイソレート方法によれば、高圧給水加熱器の給水ポンプの電源を切る手段と、それに伴って給水ポンプ停止制御マスタが自動に切り替わる手段と、前記マスタの停止の許可ランプを確認して停止指示を出す手段と、停止指示に伴って前記マスタのタイムチャートに従って給水ポンプに接続する、過熱防止弁、ウォーミング弁、ロータバランス弁が停止すると共に、これら各弁の停止完了に伴って入口弁が全閉し、入口弁の全閉後に給水ポンプのケーシングドレン弁が全開する手段とからなる構成を有することにより、高圧給水加熱器の給水ポンプの電源を切ると、それに伴って給水ポンプ停止制御マスタが自動に切り替わり、前記マスタのタイムチャートに従って給水ポンプに接続する、過熱防止弁、ウォーミング弁、ロータバランス弁が停止すると共に、これら各弁の停止完了に伴って入口弁が全閉し、入口弁の全閉後に給水ポンプのケーシングドレン弁が全開し、給水ポンプから安全に排水することができる効果がある。
【００１１】
また、本発明は、請求項２に記載のように、請求項１に記載の高圧給水加熱器の給水ポンプアイソレート方法において、前記給水ポンプのケーシングドレン弁を全開する手段の後に、給水ポンプの出口側の流量調節弁を手動にて微開にすると共に、流量調節弁の前後に設けた出口管ドレン弁と出口管ベント弁を開にする手段を有する構成を有することにより、給水ポンプの出口側の配管内の水を排水することができる効果がある。
【００１２】
また、本発明は、請求項３に記載のように、請求項２に記載の高圧給水加熱器の給水ポンプアイソレート方法において、引き続きジャケット冷却水供給入口弁を閉にする手段を有する構成を有することにより、給水ポンプのジャケットの冷却を停止することができる効果がある。
【００１３】
また、本発明は、請求項４に記載のように、請求項３に記載の高圧給水加熱器の給水ポンプアイソレート方法において、引き続き給水ポンプ停止制御マスタを除外にし、ポンプ軸受の補助オイルポンプ、過熱防止弁、ロータバランス弁、入口弁、ウォーミング弁、出口弁、出口バイパス弁等の各電動弁をロック状態にして電源を切る手段を有する構成を有することにより、給水ポンプのアイソレート継続中の必要な配管のバルブを確実にロック状態に保持することができる効果がある。
【００１４】
また、本発明は、請求項５に記載のように、請求項１乃至４のいずれかに記載の高圧給水加熱器の給水ポンプアイソレート方法において、給水ポンプのケーシングドレン弁を全開する手段の後に、給水ポンプの復帰運転の前に、ジャケット冷却水供給入口弁を開にする手段と、入口弁を手動で微開にしてウォーミングを行う手段と、ケーシングドレン弁を閉鎖してポンプ内に水を張り、空気抜き完了後に出口ドレン弁及び出口管ベント弁を閉止する手段と、各電動弁電源を入りにしてロック解除すると共に給水ポンプアイソレートマスタの復帰の許可ランプを確認して復帰させる手段と、前記マスタを除外後にポンプ電源をＯＮする手段とからなる構成を有することにより、給水ポンプの排水が完了して保守点検等が終了しアイソレートを解除する段階において、給水ポンプの復帰運転の前に、ジャケット冷却水供給入口弁を開にし、入口弁を手動で微開にしてウォーミングを行い、ケーシングドレン弁を閉鎖してポンプ内に水を張り、空気抜き完了後に出口ドレン弁及び出口管ベント弁を閉止し、各電動弁電源を入りにしてロック解除すると共に給水ポンプアイソレートマスタの復帰の許可ランプを確認して復帰させ、前記マスタを除外後にポンプ電源をＯＮにし、給水ポンプの再駆動を安全に行うことができる効果がある。
【００１５】
また、本発明は、請求項６に記載のように、請求項５に記載の高圧給水加熱器の給水ポンプアイソレート方法において、運転再開に際して入口弁、出口弁を全開し、流量調節弁を自動にし、試運転をする手段を有する構成を有することにより、給水ポンプの運転再開を安全に確実に行うことができる効果がある。
【発明を実施するための最良の形態】
【００１６】
以下図示する実施例により本発明を説明する。
【実施例１】
【００１７】
図１の実施例は、低圧ヒーター１から高圧ヒーター２に脱気器３を介して３個の給水ポンプＰ１，Ｐ２，Ｐ３により高温高圧の給水を行う配管図を示してあり、給水ポンプＰ１，Ｐ２の配管は同一で、給水ポンプＰ３の配管だけがプレウォーミングの配管がない点だけ異なった構成となっている。
従って、ここでは、中央の給水ポンプＰ２の構成についてのみ説明し、他の給水ポンプＰ１，Ｐ３については、給水ポンプＰ２の配管と同一の構成部分については同一の番号を付してその説明を省略する。
【００１８】
上記実施例の給水ポンプは、図３の火力発電における配管の概略系統図において、低圧タービンの復水器の復水系統の低圧給水加熱器の低圧ヒーター１から脱気器３を介して高圧給水加熱器の高圧ヒーター２に給水する給水系統の給水ポンプＰに該当し、高圧給水加熱器からボイラーに給水されて、高温高圧蒸気にされて蒸気系統から高圧、中圧、低圧タービンに供給され、発電機Ｇを回転して発電するように構成してある。
【００１９】
図１の実施例のおいて、給水ポンプＰ２には、脱気器３の給水管４から入口弁５を介して給水され、昇圧されて流量調節弁６を経て出口弁７及び出口バイパス弁８から高圧ヒーター２に高温高圧水が供給される。
給水ポンプＰ２の出口管９には、２個の加熱防止弁１０，１１が直列に設けてあり、加熱蒸気を過熱防止配管１２から脱気器３に戻すように構成してある。
【００２０】
また、流量調節弁６の前後には、手前にそれぞれ２個直列の出口管ドレン弁１３、後側にそれぞれ２個直列に出口管ベント弁１４が設けてあり、給水ポンプＰ２のアイソレート操作時に開放するように構成してある。
また、給水ポンプＰ２の出口管９には他の給水系統１５に高温高圧の給水を行う給水弁１６が設けてある。２７は給水系統１５の給水圧を平滑化するトッピングアップ弁である。
【００２１】
また、１７はアイソレート操作時に給水ポンプＰ２の排水を行うケーシングドレン弁、１８は給水ポンプＰ２のジャケットを冷却するジャケット冷却水供給弁、１９は給水ポンプＰ２のロータのバランスを取るため、給水ポンプＰ２のロータから脱気器３に高温高圧水を連通管２０を介して連通するロータバランス弁である。
【００２２】
また、脱気器３の給水管４からは、脱気ポンプ２１及び絞り弁２２を介してプレウォーミング管２３を経てウォーミング管２４に給水ポンプＰ２の復旧時にウォーミングを行うことができる給水配管が構成してあり、プレウォーミング管２３にはプレウォーミング弁２５が開閉自動操作可能に設けてあり、ウォーミング管２４にはウォーミング弁２６が設けてある。
【００２３】
上記の構成において、本発明に係る高圧給水加熱器の給水ポンプアイソレート方法によれば、高圧給水加熱器の給水ポンプＰ２の電源を切る手段と、それに伴って給水ポンプ停止制御マスタが自動に切り替わる手段と、前記マスタの停止の許可ランプを確認して停止指示を出す手段と、停止指示に伴って図２に記載の前記マスタのタイムチャートに従って、給水ポンプに接続する、過熱防止前弁１０、プレウォーミング弁２５、ウォーミング弁２６、ロータバランス弁１９が停止すると共に、これら各弁の停止完了に伴って入口弁５が全閉し、入口弁５の全閉後に給水ポンプのケーシングドレン弁１７が全開する手段とからなる構成を有する。
【００２４】
このことにより、高圧給水加熱器の給水ポンプＰ２の電源を切ると、それに伴って給水ポンプ停止制御マスタが自動に切り替わり、前記マスタのタイムチャートに従って給水ポンプＰ２に接続する、過熱防止前弁１０、ウォーミング弁２６、ロータバランス弁１９が停止すると共に、これら各弁の停止完了に伴って入口弁５が全閉し、入口弁５の全閉後に給水ポンプのケーシングドレン弁１７が全開し、給水ポンプＰ２から経験のレベル差を問わず、安全確実に排水することができる。
【００２５】
また、本発明は、ケーシングドレン弁１７を全開した後に、給水ポンプＰ２の出口側の流量調節弁６を２０％程度に手動にて微開にすると共に、流量調節弁６の前後に設けた出口管ドレン弁１３と出口管ベント弁１４を開にして、給水ポンプＰ２の出口管９内の水を排水することができる。
また、本発明は、上記給水ポンプアイソレート方法において、引き続きジャケット冷却水供給入口弁１８を閉にして、給水ポンプのジャケットの冷却を停止することができる。
【００２６】
また、本発明は、上記高圧給水加熱器の給水ポンプアイソレート方法において、引き続き給水ポンプ停止制御マスタを除外にし、ポンプ軸受の補助オイルポンプ、前記過熱防止弁１０，１１、ロータバランス弁１９、入口弁５、ウォーミング弁２６、出口弁７、出口バイパス弁８、他系統への給水弁１６等の各電動弁をロック状態にして電源を切り、給水ポンプＰ２のアイソレート継続中の必要な配管のバルブを確実にロック状態に保持することができる。
【００２７】
また、本発明は、上記の給水ポンプアイソレート方法において、給水ポンプＰ２のケーシングドレン弁１７を全開して排水し、保守点検、整備等が完了した段階で、給水ポンプＰ２の復帰運転の前に、ジャケット冷却水供給入口弁１８を開にする手段と、入口弁５を手動で微開にしてウォーミングを行う手段と、ケーシングドレン弁１７を閉鎖してポンプ内に水を張り、空気抜き完了後に出口管ドレン弁１３及び出口管ベント弁１４を閉止する手段と、ポンプ軸受の補助オイルポンプ、前記過熱防止弁１０，１１、ロータバランス弁１９、入口弁５、ウォーミング弁２６、出口弁７、出口バイパス弁８、他系統への給水弁１６等の各電動弁の電源を入りにしてロック解除すると共に、給水ポンプアイソレートマスタの復帰の許可ランプを確認して復帰させる手段と、前記マスタを除外後にポンプ電源をＯＮする手段とからなる構成を有する。
【００２８】
このことにより、給水ポンプＰ２の排水が完了して保守点検等が終了しアイソレートを解除する段階において、給水ポンプの復帰運転の前に、ジャケット冷却水供給入口弁１８を開にし、入口弁５を手動で微開にしてウォーミングを行い、ケーシングドレン弁１７を閉鎖してポンプＰ２内に水を張り、空気抜き完了後に、出口管ドレン弁１３及び出口管ベント弁１４を閉止し、各電動弁電源を入りにしてロック解除すると共に、給水ポンプアイソレートマスタの復帰の許可ランプを確認して復帰させ、前記マスタを除外後に、ポンプ電源をＯＮにし、給水ポンプの再駆動を安全に行うことができる。
また、本発明は、運転再開に際して入口弁５、出口弁７及び出口バイパス弁８を全開し、流量調節弁６を自動にし、試運転をする手段を有する構成を有することにより、給水ポンプＰ２の運転再開を安全に確実に行うことができる。
【図面の簡単な説明】
【００２９】
【図１】本発明に係る一実施例の要部の概略配管系統図。
【図２】本発明の一実施例のタイムチャート図。
【図３】本発明に係る一実施例の全体の概略配管系統図。
【符号の説明】
【００３０】
Ｐ１，Ｐ２，Ｐ３    給水ポンプ
１      低圧ヒーター
２      高圧ヒーター
３      脱気器
４      給水管
５      入口弁
６      流量調節弁
７      出口弁
８      出口バイパス弁
９      出口管
１０，１１    過熱防止弁
１３    出口管ドレン弁
１４    出口管ベント弁
１５    他の給水系統
１６    給水弁
１７    ケーシングドレン弁
１８    ジャケット冷却水供給弁
１９    ロータバランス弁
２０    連通管
２１    脱気ポンプ
２２    絞り弁
２３    プレウォーミング管
２４    ウォーミング管
２５    プレウォーミング弁
２６    ウォーミング弁
２７    トッピングアップ弁    
【図１】
2007240022.tif 000003
【図２】
2007240022.tif 000004
【図３】
2007240022.tif 000005